(57)【要約】本開示の実施形態は、アップリンク制御情報の伝送のための方法および装置を提供し、本方法は、ダウンリンク情報を受信することと、所定の物理アップリンク共有チャネル（ＰＵＳＣＨ）フォーマットを使用して、ダウンリンク情報に対応するハイブリッド自動反復要求−肯定応答（ＨＡＲＱ−ＡＣＫ）を伝送することとを含む。本発明の実装は、ＨＡＲＱ−ＡＣＫをＰＵＳＣＨ上で伝送するその能力を通してＨＡＲＱ−ＡＣＫをＰＵＳＣＨ上で伝送することが不可能であるという先行技術における問題を解決する。
2019506023.tif 000002
【特許請求の範囲】
【請求項１】
アップリンク制御情報の伝送のための方法であって、
ダウンリンク情報を受信することと、
所定の物理アップリンク共有チャネル（ＰＵＳＣＨ）フォーマットを使用して、前記ダウンリンク情報に対応するハイブリッド自動反復要求−肯定応答（ＨＡＲＱ−ＡＣＫ）を伝送することと
を含む、方法。
【請求項２】
ＨＡＲＱ−ＡＣＫのみが伝送されるとき、前記ＰＵＳＣＨフォーマット内のエンコーディングモードは、反復コードである、請求項１に記載の方法。
【請求項３】
前記ＨＡＲＱ−ＡＣＫのみが伝送されるとき、前記ＰＵＳＣＨフォーマット内の変調モードは、事前に設定された二位相偏移キーイング（ＢＰＳＫ）変調または四位相偏移キーイング（ＱＰＳＫ）変調である、請求項１に記載の方法。
【請求項４】
前記事前に設定されたＢＰＳＫは、｛１，−１｝の配置点を伴う第１の位置要素変調と、｛ｊ，−ｊ｝の配置点を伴う第２の位置要素変調とを備え、前記第１の位置要素は、偶数付番位置を伴う要素を変調シーケンス内に備え、前記第２の位置要素は、奇数付番位置を伴う要素を前記変調シーケンス内に備え、または前記第１の位置要素は、奇数付番位置を伴う要素を前記変調シーケンス内に備え、前記第２の位置要素は、偶数付番位置を伴う要素を前記変調シーケンス内に備える、請求項３に記載の方法。
【請求項５】
ＨＡＲＱ−ＡＣＫのみが伝送されるとき、前記ＰＵＳＣＨフォーマットは、Ｘミリ秒（ｍｓ）の時間ドメインと、単一副搬送波の周波数ドメインとを有する、請求項１に記載の方法。
【請求項６】
前記Ｘの値は、
所定の値であり、前記所定の値は、２ｍｓ、３ｍｓ、もしくは４ｍｓであり、または１ｍｓより大きく、かつ１２の倍数もしくは約数であり、または
前記物理ダウンリンク共有チャネル（ＰＤＳＣＨ）の最短時間ドメイン長に対応し、または
データのみを伝送している前記ＰＵＳＣＨの最短時間ドメイン長であり、または
単一搬送波ＰＵＳＣＨ伝送のための最短時間ドメイン長に対応し、または
シグナリングインジケータの値であり、そのようなシグナリングインジケータは、以下：システム情報ブロック（ＳＩＢ）シグナリング、無線リソース制御（ＲＲＣ）シグナリング、前記ＰＵＳＣＨに対応するＤＣＩ、前記ＰＤＳＣＨに対応するＤＣＩのうちの少なくとも１つを含む、請求項５に記載の方法。
【請求項７】
前記単一副搬送波の周波数ドメイン位置は、事前に判定され、またはシグナリングインジケータによって示され、そのようなシグナリングインジケータは、以下：ＳＩＢシグナリング、ＲＲＣシグナリング、前記ＰＵＳＣＨに対応するＤＣＩ、前記ＰＤＳＣＨに対応するＤＣＩのうちの少なくとも１つを含む、請求項５に記載の方法。
【請求項８】
ＨＡＲＱ−ＡＣＫおよびスケジューリング要求（ＳＲ）が同時に伝送されるとき、ＰＵＳＣＨは、最初に、ＨＡＲＱ−ＡＣＫおよびＳＲをエンコーディングする前に、それらを連結する、請求項１に記載の方法。
【請求項９】
ＨＡＲＱ−ＡＣＫおよびＳＲが同時に伝送されるとき、ＰＵＳＣＨは、第１のスクランブリングシーケンスを採用し、ＨＡＲＱ−ＡＣＫのみが伝送されるとき、ＰＵＳＣＨは、第２のスクランブリングシーケンスを採用する、請求項１に記載の方法。
【請求項１０】
ＨＡＲＱ−ＡＣＫおよびアップリンクデータが同時に伝送されるとき、前記ＰＵＳＣＨチャネルは、インタリーブされ、
エンコードされたＨＡＲＱ−ＡＣＫシーケンスは、列、次いで、行の順序に従って、チャネルインタリーブ行列上の所定の位置にマッピングされ、または前記エンコードされたＨＡＲＱ−ＡＣＫシーケンスは、行、次いで、列の順序に従って、前記インタリーブ行列上の所定の位置にマッピングされる、請求項１に記載の方法。
【請求項１１】
前記列、次いで、行の順序における前記インタリーブ行列上の所定の位置への前記エンコードされたＨＡＲＱ−ＡＣＫシーケンスのマッピングは、Ｙ列から開始し、前記列、次いで、行の順序を使用して、前記ＨＡＲＱ−ＡＣＫシーケンスを前記インタリーブ行列上の所定の位置にマッピングすることを含み、Ｙは、０を上回るまたはそれと等しい整数である、請求項１０に記載の方法。
【請求項１２】
前記行、次いで、列の順序における前記インタリーブ行列上の所定の位置への前記エンコードされたＨＡＲＱ−ＡＣＫシーケンスのマッピングは、Ｚ列から開始し、前記行、次いで、列の順序を使用して、前記エンコードされたＨＡＲＱ−ＡＣＫシーケンスを前記インタリーブ行列上の所定の位置にマッピングすることを含み、Ｚは、０を上回るまたはそれと等しい整数である、請求項１０に記載の方法。
【請求項１３】
前記所定の位置は、前記ＰＵＳＣＨフォーマット内の前記インタリーブ行列の中の列｛Ｋ（ｊ’）＋１２＊ｉ｝であり、前記列は、正の整数であり、ｉおよびｊ’は、０を上回るまたはそれと等しい整数である、請求項１１または１２に記載の方法。
【請求項１４】
前記ｉの値は、０，１，．．．，Ｎ−１と等しく、またはｉは、０，セル（Ｎ／２），１，セル（Ｎ／２）＋１，２，セル（Ｎ／２）＋２，．．．，セル（Ｎ／２）−１，Ｎ−１と等しく、またはｉは、任意の値の０，１，．．．，Ｎ−１と等しく、Ｎは、１２によって除算され、次いで、次の整数に繰り上げられる、前記ＰＵＳＣＨフォーマットに対応する直交周波数分割多重（ＯＦＤＭ）シンボルの数と等しく、
前記Ｋ（ｊ’）の値は、２，３，８，９と等しく、前記ｊ’の値は、１，２，３，４であり、または１，３，２，４であり、または前記Ｋ（ｊ’）の値は、１，２，３，４，５，６と等しく、前記ｊ’の値は、１，２，３，４，５，６であり、または前記Ｋ（ｊ’）の値は、１，２，３，４，５，６，７，８，９，１０，１１，１２と等しく、前記ｊ’の値は、１，２，３，４，５，６，７，８，９，１０，１１，１２である、請求項１３に記載の方法。
【請求項１５】
前記方法は、
ダウンリンクサブフレーム｛ｎ，．．．，ｎ＋Ｍ｝内でダウンリンク情報を受信することを含む、ダウンリンク情報を受信することと、
アップリンクサブフレーム｛ｋ，．．．，ｋ＋Ｘ−１｝内で前記ダウンリンク情報に対応するＨＡＲＱ−ＡＣＫを伝送することを含む、所定のＰＵＳＣＨフォーマットを使用して前記ダウンリンク情報に対応する前記ＨＡＲＱ−ＡＣＫを伝送することであって、ｎは、０に等しいまたはそれを上回る整数であり、Ｍは、０を上回るまたはそれと等しい整数である、ことと
を含む、請求項５に記載の方法。
【請求項１６】
前記ｋの値は、以下：
ｋ＝ｎ＋４＊Ｘと、
ｋ＝ｎ＋Ｍ＋４と
のうちの１つを含み、
前記ｋの値は、以下：前記ダウンリンク情報のスケジューリングウィンドウ、前記スケジューリングウィンドウ内のダウンリンク情報の位置、シグナリング構成のうちの少なくとも１つによって判定される、請求項１５に記載の方法。
【請求項１７】
前記アップリンクサブフレームｋに対応する事前に設定されたサブフレームインデックスは、Ｘの整数倍数である、請求項１５または１６に記載の方法。
【請求項１８】
前記ｋの値が、前記ダウンリンク情報のスケジューリングウィンドウによって判定され、前記ダウンリンク情報が、スケジューリングウィンドウｔにあるとき、前記アップリンクサブフレームｋは、スケジューリングウィンドウｔ＋２に位置し、または
前記ｋの値が、前記ダウンリンク情報のスケジューリングウィンドウによって判定され、前記ダウンリンク情報が、スケジューリングウィンドウｔにあるとき、前記アップリンクサブフレームｋは、スケジューリングウィンドウｔ＋１に位置し、または
前記ｋの値が、前記ダウンリンク情報のスケジューリングウィンドウ、および前記スケジューリングウィンドウ内のサブフレームｎ＋Ｍの位置によって判定されるとき、前記サブフレームｎ＋Ｍの位置がスケジューリングウィンドウｔ内のサブフレームＬの前に位置する場合、前記アップリンクサブフレームｋは、スケジューリングウィンドウｔ＋１に位置し、またはそうでなければ、スケジューリングウィンドウｔ＋２に位置し、
ｔは、０を上回るまたはそれと等しい整数であり、Ｌは、事前に設定された正の整数である、請求項１６に記載の方法。
【請求項１９】
前記スケジューリングウィンドウ内に位置する前記アップリンクサブフレームｋは、ｋが、前記スケジューリングウィンドウの開始に対応するサブフレームであること、または、ｋが、前記スケジューリングウィンドウの開始に対応するサブフレーム＋第１のオフセットから成ることを備え、前記第１のオフセットは、以下：前記スケジューリングウィンドウ内の前記ダウンリンク情報の位置、前記Ｘの値、または第２のオフセットのうちの少なくとも１つによって判定され、前記第２のオフセットは、シグナリングによって構成される、請求項１８に記載の方法。
【請求項２０】
アップリンク制御情報の伝送のための装置であって、
ダウンリンク情報を受信するように構成された受信機モジュールと、
所定のＰＵＳＣＨフォーマットを使用して、前記ダウンリンク情報に対応するＨＡＲＱ−ＡＣＫを伝送するように構成されている、送信機モジュールと
を備える、装置。
【発明の詳細な説明】
【技術分野】
【０００１】
本開示の実施形態は、概して、通信の分野に関し、より具体的には、アップリンク制御情報の伝送のための方法および装置に関する。
【背景技術】
【０００２】
マシンツーマシン（Ｍ２Ｍ）とも呼ばれる、マシンタイプ通信（ＭＴＣ）は、現段階では、モノのインターネットのためのアプリケーションの一次形態である。現在の市場が展開する、ＭＴＣ機器は、主に、移動通信用グローバルシステム（ＧＳＭ（登録商標））に基づく。近年、ロングタームエボリューション（ＬＴＥ）／ロングタームエボリューションアドバンスト（ＬＴＥ−Ａ）の高スペクトル効率に起因して、ますます多くのモバイルオペレータが、ブロードバンドワイヤレス通信システムの将来のためにＬＴＥ／ＬＴＥ−Ａを選定している。多くのＬＴＥ／ＬＴＥ−ＡベースのＭＴＣ技術はまた、より魅力的となるであろう。関連技術の要件におけるＭＴＣユーザ機器（ＭＴＣ  ＵＥ）のためのカバレッジは、ＭＴＣ  ＵＥの量が比較的に大きくなるにつれて、その再使用容量とともに強化されるべきである。ＭＴＣ  ＵＥに関して、現在の共通認識は、アップリンクのみが物理アップリンク共有チャネル（ＰＵＳＣＨ）伝送をサポートするというものである。しかしながら、ＰＵＳＣＨフォーマットを使用して、ダウンリンク情報に対応するアップリンク制御情報ＨＡＲＱ−ＡＣＫのみを伝送する、関連技術における技法は存在しない。
【０００３】
ＨＡＲＱ−ＡＣＫをＰＵＳＣＨ上で伝送することが不可能であるという関連技術における問題を解決する、ソリューションは、まだ存在しない。
【発明の概要】
【発明が解決しようとする課題】
【０００４】
本開示の実施形態は、アップリンク制御情報の伝送のための方法および装置を提供し、少なくとも、ＨＡＲＱ−ＡＣＫをＰＵＳＣＨ上で伝送することが不可能であるという関連技術における問題を解決する。
【課題を解決するための手段】
【０００５】
本実施形態の一側面は、アップリンク制御情報を伝送するための方法を提供し、これは、ダウンリンク情報を受信することと、所定のＰＵＳＣＨフォーマットを利用し、ダウンリンク情報に対応するＨＡＲＱ−ＡＣＫを伝送することとを含む。
【０００６】
代替として、ＨＡＲＱ−ＡＣＫのみが伝送されるとき、ＰＵＳＣＨフォーマット内のエンコーディングモードは、反復コーディングである。
【０００７】
代替として、ＨＡＲＱ−ＡＣＫのみが伝送されるとき、ＰＵＳＣＨフォーマット内の変調モードは、事前に設定された二位相偏移キーイング（ＢＰＳＫ）変調または四位相偏移キーイング（ＱＰＳＫ）変調である。
【０００８】
代替として、事前に設定されたＢＰＳＫは、｛１，−１｝の配置点を伴う第１の位置要素変調と、｛ｊ，−ｊ｝の配置点を伴う第２の位置要素変調とを備え、第１の位置要素は、偶数付番位置を伴う要素を変調シーケンス内に備え、第２の位置要素は、奇数付番位置を伴う要素を変調シーケンス内に備え、または第１の位置要素は、奇数付番位置を伴う要素を変調シーケンス内に備え、第２の位置要素は、偶数付番位置を伴う要素を変調シーケンス内に備える。
【０００９】
代替として、ＨＡＲＱ−ＡＣＫのみが伝送されるとき、ＰＵＳＣＨフォーマットは、Ｘミリ秒（ｍｓ）の時間ドメインと、単一副搬送波の周波数ドメインとを有する。
【００１０】
代替として、Ｘの値は、事前に判定され、その所定の値は、２ｍｓ、３ｍｓ、もしくは４ｍｓであり、またはＸの値は、１ｍｓより大きく、かつ１２の倍数もしくは約数であってもよく、またはＸの値は、物理ダウンリンク共有チャネル（ＰＤＳＣＨ）の最短時間ドメイン長に対応してもよく、またはＸの値は、データのみを伝送しているＰＵＳＣＨの最短時間ドメイン長であってもよく、またはＸの値は、単一搬送波ＰＵＳＣＨ伝送のための最短時間ドメイン長に対応してもよく、またはＸの値は、シグナリングによって示される値であってもよく、そのようなシグナリングは、以下：システム情報ブロック（ＳＩＢ）シグナリング、無線リソース制御（ＲＲＣ）シグナリング、ＰＵＳＣＨに対応するＤＣＩ、ＰＤＳＣＨに対応するＤＣＩのうちの少なくとも１つを含む。
【００１１】
代替として、単一副搬送波の周波数ドメイン位置は、事前に判定され、またはシグナリングによって示され、そのようなシグナリングは、以下：ＳＩＢシグナリング、ＲＲＣシグナリング、ＰＵＳＣＨに対応するＤＣＩ、ＰＤＳＣＨに対応するＤＣＩのうちの少なくとも１つを含む。
【００１２】
代替として、ＨＡＲＱ−ＡＣＫおよびスケジューリング要求（ＳＲ）が同時に伝送されるとき、ＰＵＳＣＨは、最初に、ＨＡＲＱ−ＡＣＫおよびＳＲをエンコーディングする前に、それらを連結するであろう。
【００１３】
代替として、ＨＡＲＱ−ＡＣＫおよびＳＲが同時に伝送されるとき、ＰＵＳＣＨは、第１のスクランブリングシーケンスを採用し、ＨＡＲＱ−ＡＣＫのみが伝送されるとき、ＰＵＳＣＨは、第２のスクランブリングシーケンスを採用するであろう。
【００１４】
代替として、ＨＡＲＱ−ＡＣＫおよびアップリンクデータが同時に伝送されるとき、ＰＵＳＣＨチャネルは、インタリーブされ、エンコードされたＨＡＲＱ−ＡＣＫシーケンスは、列、次いで、行の順序に従って、チャネルインタリーブ行列上の所定の位置にマッピングされ、またはエンコードされたＨＡＲＱ−ＡＣＫシーケンスは、行、次いで、列の順序に従って、インタリーブ行列上の所定の位置にマッピングされる。
【００１５】
代替として、列、次いで、行の順序におけるインタリーブ行列上の所定の位置へのエンコードされたＨＡＲＱ−ＡＣＫシーケンスのマッピングは、Ｙ列から開始し、列、次いで、行の順序を使用して、ＨＡＲＱ−ＡＣＫシーケンスをインタリーブ行列上の所定の位置にマッピングすることを含み、Ｙは、０を上回るまたはそれと等しい整数である。
【００１６】
代替として、行、次いで、列の順序におけるインタリーブ行列上の所定の位置へのエンコードされたＨＡＲＱ−ＡＣＫシーケンスのマッピングは、Ｚ列から開始し、行、次いで、列の順序を使用して、エンコードされたＨＡＲＱ−ＡＣＫシーケンスをインタリーブ行列上の所定の位置にマッピングすることを含み、Ｚは、０を上回るまたはそれと等しい整数である。
【００１７】
代替として、所定の位置は、ＰＵＳＣＨフォーマット内のインタリーブ行列の中の列｛Ｋ（ｊ’）＋１２＊ｉ｝であり、列は、正の整数であり、ｉおよびｊ’は、０を上回るまたはそれと等しい整数である。
【００１８】
代替として、ｉの値は、０，１，．．．，Ｎ−１と等しく、または、ｉは、０，セル（Ｎ／２），１，セル（Ｎ／２）＋１，２，セル（Ｎ／２）＋２，．．．，セル（Ｎ／２）−１，Ｎ−１と等しく、またはｉは、任意の値の０，１，．．．，Ｎ−１と等しく、Ｎは、１２によって除算され、次いで、次の整数に繰り上げられる、ＰＵＳＣＨフォーマットに対応する直交周波数分割多重（ＯＦＤＭ）シンボルの数と等しく、Ｋ（ｊ’）の値は、２，３，８，９と等しく、ｊ’の値は、１，２，３，４であり、または１，３，２，４であり、またはＫ（ｊ’）の値は、１，２，３，４，５，６と等しく、ｊ’の値は、１，２，３，４，５，６であり、またはＫ（ｊ’）の値は、１，２，３，４，５，６，７，８，９，１０，１１，１２と等しく、値ｊ’は、１，２，３，４，５，６，７，８，９，１０，１１，１２である。
【００１９】
代替として、ダウンリンク情報を受信することは、ダウンリンクサブフレーム｛ｎ，．．．，ｎ＋Ｍ｝内でダウンリンク情報を受信することと、アップリンクサブフレーム｛ｋ，．．．，ｋ＋Ｘ−１｝内でダウンリンク情報に対応するＨＡＲＱ−ＡＣＫを伝送することを含む、所定のＰＵＳＣＨフォーマットを使用して、ダウンリンク情報に対応するＨＡＲＱ−ＡＣＫを伝送することであって、ｎは、０に等しいまたはそれを上回る整数であり、Ｍは、０を上回るまたはそれと等しい整数である、こととを含む。
【００２０】
代替として、ｋの値は、以下：ｋ＝ｎ＋４＊Ｘと、ｋ＝ｎ＋Ｍ＋４とのうちの１つを含み、ｋの値は、以下：ダウンリンク情報のスケジューリングウィンドウ、スケジューリングウィンドウ内のダウンリンク情報の位置、シグナリング構成のうちの少なくとも１つによって判定される。
【００２１】
代替として、アップリンクサブフレームｋに対応する事前に設定されたサブフレームインデックスは、Ｘの整数倍数である。
【００２２】
代替として、ｋの値が、ダウンリンク情報のスケジューリングウィンドウによって判定され、ダウンリンク情報が、スケジューリングウィンドウｔにあるとき、アップリンクサブフレームｋは、スケジューリングウィンドウｔ＋２に位置し、またはｋの値が、ダウンリンク情報のスケジューリングウィンドウによって判定され、ダウンリンク情報が、スケジューリングウィンドウｔにあるとき、アップリンクサブフレームｋは、スケジューリングウィンドウｔ＋１に位置し、またはｋの値が、ダウンリンク情報のスケジューリングウィンドウ、およびスケジューリングウィンドウ内のサブフレームｎ＋Ｍの位置によって判定されるとき、サブフレームｎ＋Ｍの位置がスケジューリングウィンドウｔ内のサブフレームＬの前に位置する場合、アップリンクサブフレームｋは、スケジューリングウィンドウｔ＋１に位置し、またはそうでなければ、スケジューリングウィンドウｔ＋２に位置し、ｔは、０を上回るまたはそれと等しい整数であり、Ｌは、事前に設定された正の整数である。
【００２３】
代替として、スケジューリングウィンドウ内に位置する、アップリンクサブフレームｋは、ｋが、スケジューリングウィンドウの開始に対応するサブフレームであること、または、ｋが、スケジューリングウィンドウの開始に対応するサブフレーム＋第１のオフセットから成ることを備え、第１のオフセットは、以下：スケジューリングウィンドウ内のダウンリンク情報の位置、Ｘの値、または第２のオフセットのうちの少なくとも１つによって判定され、第２のオフセットは、シグナリングによって構成される。
【００２４】
本実施形態の別の側面は、アップリンク制御情報の伝送のための装置を提供し、これは、ダウンリンク情報を受信するように構成される、受信機モジュールと、所定のＰＵＳＣＨフォーマットを使用して、ダウンリンク情報に対応するＨＡＲＱ−ＡＣＫを伝送するように構成される、送信機モジュールとを備える。
【００２５】
本実施形態の別の側面は、コンピュータ記憶媒体を提供し、コンピュータ記憶媒体は、実行命令を記憶し、そのような実行命令は、本実施形態の方法に列挙されたステップのうちの１つまたはそれらの組み合わせを実装するために使用される。
【００２６】
本実施形態の実装は、ダウンリンク情報を受信することと、所定のＰＵＳＣＨフォーマットを使用して、ダウンリンク情報に対応するＨＡＲＱ−ＡＣＫを伝送することとを含み、本発明は、それによって、ＨＡＲＱ−ＡＣＫをＰＵＳＣＨフォーマット上で伝送することが不可能であるという先行技術における問題を解決する。
【００２７】
本明細書に説明される図面は、本実施形態の理解を促すことを意図して提供され、本願の一部を構成する。本発明の例証的実施形態およびその説明は、本発明をさらに説明するために提供され、それを限定する役割を果たすものではない。
【図面の簡単な説明】
【００２８】
【図１】図１は、本実施形態に概略されたアップリンク制御情報伝送の方法を説明する、フローチャートである。
【図２】図２は、関連技術のＬＴＥシステムにおけるＰＵＳＣＨの処理を説明する。
【図３】図３は、関連技術のＬＴＥシステムにおける従来の巡回プレフィックスの間のＰＵＳＣＨデータおよびアップリンク復調基準信号の時間−周波数ドメインのマッピング図である。
【図４】図４は、関連技術のＬＴＥシステムにおけるＰＵＳＣＨ上で伝送されるときのアップリンク制御情報のマッピング場所図である。
【図５】図５は、関連技術のＬＴＥシステムにおいてアップリンク制御情報およびアップリンクデータが多重化されるときを説明する、チャネルコーディングプロセス図である。
【図６】図６は、本実施形態におけるＨＡＲＱ−ＡＣＫシーケンスマッピングに基づく概略図（１）である。
【図７】図７は、本実施形態におけるＨＡＲＱ−ＡＣＫシーケンスマッピングに基づく概略図（２）である。
【図８】図８は、本実施形態におけるＨＡＲＱ−ＡＣＫシーケンスマッピングに基づく概略図（３）である。
【図９】図９は、本実施形態におけるＨＡＲＱ−ＡＣＫ応答情報の伝送に基づく概略図（１）である。
【図１０】図１０は、本実施形態におけるＨＡＲＱ−ＡＣＫ応答情報の伝送に基づく概略図（２）である。
【図１１】図１１は、本実施形態におけるＨＡＲＱ−ＡＣＫ応答情報の伝送に基づく概略図（３）である。
【図１２】図１２は、本実施形態におけるＨＡＲＱ−ＡＣＫ応答情報の伝送に基づく概略図（４）である。
【図１３】図１３は、本実施形態におけるＨＡＲＱ−ＡＣＫ応答情報の伝送に基づく概略図（５）である。
【図１４】図１４は、本実施形態におけるＨＡＲＱ−ＡＣＫ応答情報の伝送に基づく概略図（６）である。
【図１５】図１５は、本実施形態におけるＨＡＲＱ−ＡＣＫ応答情報の伝送に基づく概略図（７）である。
【図１６】図１６は、本実施形態におけるＨＡＲＱ−ＡＣＫ応答情報の伝送に基づく概略図（８）である。
【図１７】図１７は、本実施形態におけるアップリンク制御情報伝送装置のフォーマットに基づくブロック図である。
【発明を実施するための形態】
【００２９】
本書は、以降、図面を参照して、本実施形態を詳細に説明するであろう。本開示の実施形態およびその特徴は、非競合様式において組み合わせられることができることに留意されたい。
【００３０】
本実施形態の説明および請求項ならびに付随の図面における「第１の」、「第２の」等のような専門用語は、同様の物体を区別するためだけに使用され、任意のシーケンスまたはパターンを説明する役割を果たすものではないことに留意されたい。
【００３１】
本実施形態は、アップリンク制御情報の伝送のための方法を提供する。図１は、本実施形態に概略されるアップリンク制御情報伝送のフローチャートベースの方法である。図１に示されるように、本方法は、以下のステップを含む。
ステップＳ１０２では、ダウンリンク情報を受信する。
ステップＳ１０４では、所定のＰＵＳＣＨフォーマットを利用し、ダウンリンク情報に対応するＨＡＲＱ−ＡＣＫを伝送する。
【００３２】
本実施形態におけるアクションの実装先は、端末であることができ、端末がダウンリンク情報を受信後、端末は、所定のＰＵＳＣＨフォーマットを利用し、受信されたダウンリンク情報に対応するＨＡＲＱ−ＡＣＫを伝送することができる。
【００３３】
実施形態によると、端末は、ＨＡＲＱ−ＡＣＫを伝送するとき、ＰＵＳＣＨフォーマットを使用するであろう。これ以降、本開示の実施形態は、ＨＡＲＱ−ＡＣＫをＰＵＳＣＨ上で伝送するための方法を提供し、したがって、ＨＡＲＱ−ＡＣＫをＰＵＳＣＨ上で伝送することが不可能であるという先行技術における問題を解決する。
【００３４】
ＰＵＳＣＨフォーマットは、多くのフォーマットを備えることができる。種々のＰＵＳＣＨフォーマット間の区別の説明は、以下に提供される。
代替実施形態では、ＨＡＲＱ−ＡＣＫのみが伝送されるとき、ＰＵＳＣＨフォーマット内のエンコーディングモードは、反復コードである。
別の代替実施形態では、ＨＡＲＱ−ＡＣＫのみが伝送されるとき、ＰＵＳＣＨフォーマット内の変調モードは、事前に設定された二位相偏移キーイング（ＢＰＳＫ）変調または四位相偏移キーイング（ＱＰＳＫ）変調である。
【００３５】
代替として、事前に設定されたＢＰＳＫ変調は、｛１，−１｝の配置点を伴う第１の位置要素変調と、｛ｊ，−ｊ｝の配置点を伴う第２の位置要素変調とを備えることができ、第１の位置要素は、偶数付番位置を伴う要素を変調シーケンス内に備え、第２の位置要素は、奇数付番位置を伴う要素を変調シーケンス内に備え、または第１の位置要素は、奇数付番位置を伴う要素を変調シーケンス内に備え、第２の位置要素は、偶数付番位置を伴う要素を変調シーケンス内に備える。
【００３６】
別の代替実施形態では、ＨＡＲＱ−ＡＣＫのみが伝送されるとき、ＰＵＳＣＨフォーマットは、Ｘｍｓの時間ドメインと、単一副搬送波の周波数ドメインとを有する。
【００３７】
代替として、Ｘの値は、事前に判定され、その所定の値は、２ｍｓ、３ｍｓ、もしくは４ｍｓであり、または１ｍｓより大きく、かつ１２の倍数もしくは約数であり、または、物理ダウンリンク共有チャネル（ＰＤＳＣＨ）の最短時間ドメイン長に対応し、または、データのみを伝送しているＰＵＳＣＨの最短時間ドメイン長であり、または、単一搬送波ＰＵＳＣＨ伝送のための最短時間ドメイン長に対応し、またはシグナリングインジケータの値であり、そのようなシグナリングインジケータは、以下：システム情報ブロック（ＳＩＢ）シグナリング、無線リソース制御（ＲＲＣ）シグナリング、ＰＵＳＣＨに対応するＤＣＩ、ＰＤＳＣＨに対応するＤＣＩのうちの少なくとも１つを含む。
【００３８】
単一副搬送波の周波数ドメイン位置は、事前に判定され、またはシグナリングインジケータによって示され、そのようなシグナリングインジケータは、以下：ＳＩＢシグナリング、ＲＲＣシグナリング、ＰＵＳＣＨに対応するＤＣＩ、ＰＤＳＣＨに対応するＤＣＩのうちの少なくとも１つを含む。
【００３９】
代替として、ＨＡＲＱ−ＡＣＫおよびスケジューリング要求（ＳＲ）が同時に伝送されるとき、ＰＵＳＣＨは、最初に、ＨＡＲＱ−ＡＣＫおよびＳＲをエンコーディングする前に、それらを連結するであろう。
【００４０】
代替として、ＨＡＲＱ−ＡＣＫおよびＳＲが同時に伝送されるとき、ＰＵＳＣＨは、第１のスクランブリングシーケンスを採用し、ＨＡＲＱ−ＡＣＫのみが伝送されるとき、ＰＵＳＣＨは、第２のスクランブリングシーケンスを採用するであろう。
【００４１】
代替として、ＨＡＲＱ−ＡＣＫおよびアップリンクデータが同時に伝送されるとき、ＰＵＳＣＨチャネルは、インタリーブされ、エンコードされたＨＡＲＱ−ＡＣＫシーケンスは、列、次いで、行の順序に従って、チャネルインタリーブ行列上の所定の位置にマッピングされ、またはエンコードされたＨＡＲＱ−ＡＣＫシーケンスは、行、次いで、列の順序に従って、インタリーブ行列上の所定の位置にマッピングされる。
【００４２】
代替として、列、次いで、行の順序におけるインタリーブ行列上の所定の位置へのエンコードされたＨＡＲＱ−ＡＣＫシーケンスのマッピングは、Ｙ列から開始し、列、次いで、行の順序を使用して、ＨＡＲＱ−ＡＣＫシーケンスをインタリーブ行列上の所定の位置にマッピングすることを含み、Ｙは、０を上回るまたはそれと等しい整数である。
【００４３】
代替として、行、次いで、列の順序におけるインタリーブ行列上の所定の位置へのエンコードされたＨＡＲＱ−ＡＣＫシーケンスのマッピングは、Ｚ列から開始し、行、次いで、列の順序を使用して、エンコードされたＨＡＲＱ−ＡＣＫシーケンスをインタリーブ行列上の所定の位置にマッピングすることを含み、Ｚは、０を上回るまたはそれと等しい整数である。
【００４４】
代替として、所定の位置は、ＰＵＳＣＨフォーマット内のインタリーブ行列の中の列｛Ｋ（ｊ’）＋１２＊ｉ｝であり、列は、正の整数であり、ｉおよびｊ’は、０を上回るまたはそれと等しい整数である。
【００４５】
代替として、ｉの値は、０，１，．．．，Ｎ−１と等しく、または、ｉは、０，セル（Ｎ／２），１，セル（Ｎ／２）＋１，２，セル（Ｎ／２）＋２，．．．，セル（Ｎ／２）−１，Ｎ−１と等しく、または、ｉは、任意の値の０，１，．．．，Ｎ−１と等しく、Ｎは、１２によって除算され、次いで、次の整数に繰り上げられる、ＰＵＳＣＨフォーマットに対応する直交周波数分割多重（ＯＦＤＭ）シンボルの数と等しく、Ｋ（ｊ’）の値は、２，３，８，９と等しく、ｊ’の値は、１，２，３，４であり、または１，３，２，４であり、またはＫ（ｊ’）の値は、１，２，３，４，５，６と等しく、ｊ’の値は、１，２，３，４，５，６であり、またはＫ（ｊ’）の値は、１，２，３，４，５，６，７，８，９，１０，１１，１２と等しく、値ｊ’は、１，２，３，４，５，６，７，８，９，１０，１１，１２である。
【００４６】
ＰＵＳＣＨフォーマットのタイプは、いくつかの実施例のみを含み、ＰＵＳＣＨフォーマットは、具体的状況に基づいて定義されることができ、本明細書に包括的に列挙されていないことに留意されたい。
【００４７】
代替として、ダウンリンク情報を受信することは、ダウンリンクサブフレーム｛ｎ，．．．，ｎ＋Ｍ｝内でダウンリンク情報を受信することと、アップリンクサブフレーム｛ｋ，．．．，ｋ＋Ｘ−１｝内でダウンリンク情報に対応するＨＡＲＱ−ＡＣＫを伝送することを含む、所定のＰＵＳＣＨフォーマットを使用して、ダウンリンク情報に対応するＨＡＲＱ−ＡＣＫを伝送することであって、ｎは、０に等しいまたはそれを上回る整数であり、Ｍは、０を上回るまたはそれと等しい整数である、こととを含む。
【００４８】
代替として、ｋの値は、以下：ｋ＝ｎ＋４＊Ｘと、ｋ＝ｎ＋Ｍ＋４とのうちの１つを含み、ｋの値は、以下：ダウンリンク情報のスケジューリングウィンドウ、スケジューリングウィンドウ内のダウンリンク情報の位置、シグナリング構成のうちの少なくとも１つによって判定される。
【００４９】
代替として、アップリンクサブフレームｋに対応する事前に設定されたサブフレームインデックスは、Ｘの整数倍数である。
【００５０】
代替として、ｋの値が、ダウンリンク情報のスケジューリングウィンドウによって判定され、ダウンリンク情報が、スケジューリングウィンドウｔにあるとき、アップリンクサブフレームｋは、スケジューリングウィンドウｔ＋２に位置し、またはｋの値が、ダウンリンク情報のスケジューリングウィンドウによって判定され、ダウンリンク情報が、スケジューリングウィンドウｔにあるとき、アップリンクサブフレームｋは、スケジューリングウィンドウｔ＋１に位置し、またはｋの値が、ダウンリンク情報のスケジューリングウィンドウ、およびスケジューリングウィンドウ内のサブフレームｎ＋Ｍの位置によって判定されるとき、サブフレームｎ＋Ｍの位置がスケジューリングウィンドウｔ内のサブフレームＬの前に位置する場合、アップリンクサブフレームｋは、スケジューリングウィンドウｔ＋１に位置し、またはそうでなければ、スケジューリングウィンドウｔ＋２に位置し、ｔは、０を上回るまたはそれと等しい整数であり、Ｌは、事前に設定された正の整数である。
【００５１】
代替として、スケジューリングウィンドウ内に位置する、アップリンクサブフレームｋは、ｋが、スケジューリングウィンドウの開始に対応するサブフレームであること、または、ｋが、スケジューリングウィンドウの開始に対応するサブフレーム＋第１のオフセットから成ることを備え、第１のオフセットは、以下：スケジューリングウィンドウ内のダウンリンク情報の位置、Ｘの値、または第２のオフセットのうちの少なくとも１つによって判定され、第２のオフセットは、シグナリングによって構成される。
【００５２】
本実施形態は、ここで、具体的実施例を使用して説明されるであろう。
（実施例１）
本実施例は、主に、関連技術におけるアップリンク制御情報の伝送を説明する。
【００５３】
実施例１、実施形態１：
図２は、関連技術のＬＴＥシステムにおけるＰＵＳＣＨの処理を説明する。図２が示すように、処理が実装されるとき、データエンコーディング、スクランブリング、変調、伝送プリコーディング、およびリソースユニットマッピングが、単一搬送波周波数分割多重アクセス（ＳＣ−ＦＤＭＡ）シンボル伝送の生成前に伝送される必要があるであろう。
【００５４】
実施例１、実施形態２：
図３は、関連技術のＬＴＥシステムにおける従来の巡回プレフィックスの間のＰＵＳＣＨデータおよびアップリンク復調基準信号の時間−周波数ドメインのマッピング図であり、時間スロット間の周波数ホッピングは、イネーブルにされず、１つの物理リソースブロック（ＰＲＢ）が周波数ドメイン内に存在すると仮定される。
【００５５】
実施例１、実施形態３：
図４は、関連技術のＬＴＥシステムにおけるＰＵＳＣＨ上で伝送されるときのアップリンク制御情報のマッピング場所図であり、ＨＡＲＱ−ＡＣＫ応答シンボルは、アップリンク復調基準信号の両側にマッピングされる。
【００５６】
実施例１、実施形態４：
図５は、関連技術のＬＴＥシステムにおいてアップリンク制御情報およびアップリンクデータが多重化されるときを説明するチャネルコーディングプロセス図である。アップリンクデータは、伝送されるとき、トランスポートブロック（ＴＢ）の形態をとり、ＴＢが巡回冗長性チェック（ＣＲＣ）アタッチ、コードブロックセグメント化、コードブロックＣＲＣアタッチ、チャネルコーディング、レートマッチング、およびコードブロック連結を受けた後、かつＣＱＩ／ＰＭＩのエンコーディング後、アップリンクデータおよび制御シグナリングの多重化は、ｉである。最後に、エンコードされたＨＡＲＱ−ＡＣＫ応答情報、ＲＩシグナリング、およびデータは、チャネルインタリーブを通してともに多重化され、アップリンク制御シグナリングのためのコーディングプロセスは、以下のようになる。最初に、ＴＢブロックサイズ等の関連情報が、アップリンク制御シグナリング伝送のための標的長を計算するために使用され、その後、チャネルコーディングが、
【化１】
2019506023.tif 000003
【化２】
2019506023.tif 000004
として示されるエンコードされた情報ビットを用いて行われ、アップリンクデータおよび制御シグナリングの多重化は、エンコードされたＣＱＩ／ＰＭＩ情報およびデータを
【化３】
2019506023.tif 000005
として示される変調シンボルの形態でカスケードする。チャネルインタリーブプロセスは、ある順序に従って、データおよび制御多重化後のエンコードされたＡＣＫ／ＮＡＣＫ情報ビット
【化４】
2019506023.tif 000006
、ＲＩ情報ビット
【化２】
2019506023.tif 000007
、ならびに
【化３】
2019506023.tif 000008
を仮想行列の中に書き込み、次いで、行から列の順序に従って、仮想行列を読み出し、それによって、変調シンボルを物理リソースにマッピングする後続プロセスにおいて、ＨＡＲＱ−ＡＣＫ応答情報、ＲＩ、ＣＱＩ／ＰＭＩ、およびデータが、それぞれ、図４に示される場所にマッピングされ得ることを確実にすることである。チャネルインタリーブの具体的プロセスは、以下のようになる。
（１）最初に、仮想行列を生成し、仮想行列のサイズは、ＰＵＳＣＨリソース配分に関連する。
（２）最初に、仮想行列の列の中に書き込み、次いで、行の中に書き込み、最後の行から最初の行まで書き込む順序に従って、変調シンボルの形態を伴うエンコードされたＲＩ情報ビット
【化２】
2019506023.tif 000009
を仮想行列内のＲＩ情報のための事前に設定された位置の中に書き込む。
（３）仮想行列の最初の行および最初の列の位置から開始し、最初の列、次いで、行の順序に従って、
【化３】
2019506023.tif 000010
を仮想行列の中に書き込み、書き込むとき、ＲＩ情報がすでに書き込まれた位置をスキップする。
（４）最初に、仮想行列の列の中に書き込み、次いで、行の中に書き込み、最後の行から最初の行まで書き込む順序に従って、変調シンボルの形態でエンコードされたＡＣＫ／ＮＡＣＫ情報ビット
【化４】
2019506023.tif 000011
を仮想行列内の事前に設定されたＡＣＫ／ＮＡＣＫ情報位置の中に書き込み、書き込むとき、任意の場所がすでに
【化３】
2019506023.tif 000012
を用いて書き込まれている場合、その位置におけるデータシンボルをパンクチャ処理する。
（５）最後に、最初に、行、次いで、列の順序に従って、仮想行列を読み出し、インタリーブされたシーケンスを変調シンボル
【化５】
2019506023.tif 000013
の形態で得る。
【００５７】
ＲＩ情報およびＡＣＫ／ＮＡＣＫ応答メッセージの事前に設定された位置は、表１および表２に示される通りであり、表１は、ＲＩ情報を書き込むための列セットを示し、表２は、ＡＣＫ／ＮＡＣＫ情報を書き込むための列セットを示す。
【表１】
2019506023.tif 000014
【表２】
2019506023.tif 000015
【００５８】
（実施例２）
本実施形態および実施形態３〜６は、本実施形態の方法を説明する。
本実施形態では、伝送されなければならないＨＡＲＱ−ＡＣＫ応答情報は、ａ０であると仮定する。
【００５９】
実施例２、実施形態１：
ＰＵＳＣＨ上での伝送は、反復コードを使用して、エンコードされたシーケンス［ｂ０，ｂ１，．．．，ｂＢ］を得て、Ｂは、変調順序および時間ドメイン内のシンボルの数によって判定される。
【００６０】
実施例２、実施形態２：
ＰＵＳＣＨ上での伝送は、第２のスクランブリングシーケンスを使用して、エンコードされたシーケンスをスクランブリングし、第２のスクランブリングシーケンスのための初期値は、
【化６】
2019506023.tif 000016
であり、ｑは、０と等しく、またはデータのみがＰＵＳＣＨ上で伝送される、第３のスクランブリングシーケンスのための対応する初期値が、
【化７】
2019506023.tif 000017
であると仮定すると、第２のスクランブリングシーケンスのための初期値もまた、
【化７】
2019506023.tif 000018
であり、またはデータのみがＰＵＳＣＨ上で伝送され、第４のスクランブリングシーケンスのための対応する初期値が、
【化８】
2019506023.tif 000019
であると仮定すると、第２のスクランブリングシーケンスのための初期値もまた、
【化８】
2019506023.tif 000020
であり、ｎＲＮＴＩは、ＰＵＳＣＨ伝送に対応するＲＮＴＩ値と等しく、
【化９】
2019506023.tif 000021
は、セルインデックスであり、ｎｓは、ＰＵＳＣＨ伝送の最初の時間スロットインデックスと等しく、具体的スクランブリング方法は、既存の機構と同じであり、さらに説明されない。
【００６１】
実施例２、実施形態３：
ＰＵＳＣＨ上での伝送は、所定のＢＰＳＫまたはＱＰＳＫ変調方法を使用し、所定のＢＰＳＫの使用は、スクランブリングされたシーケンス内の奇数付番要素に対応する配置点が、［１，−１］であり、偶数付番要素に対応する配置点が、［ｊ，−ｊ］であることを意味する。
【００６２】
実施例２、実施形態４：
ＰＵＳＣＨ上での伝送は、単一副搬送波の周波数ドメインを用いて、ＨＡＲＱ−ＡＣＫを時間ドメインＸサブフレームにマッピングし、Ｘの値は、所定の値であり、またはシグナリングによって示される値であり、最適には、シグナリングは、以下：ＳＩＢ信号、ＲＲＣ信号インジケーション、またはＰＵＳＣＨに対応するＵＬ  ＤＣＩ信号インジケーションの時間ドメインインジケーションフィールドのうちの少なくとも１つを含むことができ、Ｘは、ＨＡＲＱ−ＡＣＫ伝送に対応する最小時間ドメイン単位と等しく、伝送に対応する時間ドメインの長さは、Ｓ＊Ｘであり、Ｓは、０を上回る整数であり、Ｓは、端末内の異なるカバレッジレベルに従って変動し、またはＸの値は、ＰＤＳＣＨに対応する最小時間ドメイン長であり、またはデータのみが伝送されるとき、ＰＵＳＣＨの最小時間ドメイン長であり、または単一搬送波ＰＵＳＣＨ伝送に対応する最小時間ドメイン長であり、最適には、副搬送波間隔が１５ｋＨｚであるとき、最小時間ドメイン長は、８であり、副搬送波間隔が３．７５ｋＨｚであるとき、最小時間ドメイン長は、３２である。
【００６３】
単一副搬送波周波数ドメイン位置は、最適には、周波数帯域の両端、またはシグナリングによって示される位置において、最適には、ＳＩＢ信号インジケーション、ＲＲＣ信号インジケーション、またはＤＣＩ信号インジケーションを受け、またはＤＣＩ信号がＤＬ  ＤＣＩになると、ＤＬ  ＤＣＩリソースフィールドインジケーションを通して、またはＤＬ  ＤＣＩサブフレームを通して、またはＤＬ  ＤＣＩに対応する制御チャネル要素（ＣＣＥ）のインデックス含意インジケーションを通して、またはＤＬ  ＤＣＩリソースインジケーションフィールドおよびＤＬ  ＤＣＩに対応するＣＣＥインデックス結合命令を通して事前に判定され、リソースインジケーションフィールド値は、端末内の異なるカバレッジレベルに従って変動し、例えば、非カバレッジ拡張端末に対応するリソースインジケーションフィールド値は、［Ａ１，Ａ２，Ａ３，Ａ４］であり、カバレッジ拡張端末に対応するリソースインジケーションフィールド値は、［Ｂ１，Ｂ２，Ｂ３，Ｂ４］である。
【００６４】
例えば、単一副搬送波の周波数ドメイン位置が、ＤＬ  ＤＣＩリソースフィールドインジケーションによって示されるとき、リソースインジケーションフィールドのサイズは、以下：システム帯域幅、副搬送波間隔、ＨＡＲＱ−ＡＣＫ伝送内の周波数ドメインリソースの数のうちの１つ以上によって判定される。または、例えば、ＨＡＲＱ−ＡＣＫ伝送内の周波数ドメインリソースの数が４であると仮定すると、リソースインジケーションフィールドは、２ビットである。
【００６５】
ダウンリンク情報が、競合ベースのランダムアクセスプロセスにおけるＭｓｇ４メッセージである場合、ＨＡＲＱ−ＡＣＫに対応するリソースは、ＤＣＩによって示されている。
【００６６】
（実施例３）
伝送されなければならないＨＡＲＱ−ＡＣＫ応答情報がａ０であり、かつ、ＳＲは、同時に伝送されなければならないと仮定する。
【００６７】
実施例３、実施形態１
ＰＵＳＣＨフォーマットを使用して、連結後、ＨＡＲＱ−ＡＣＫおよびＳＲをエンコードする。
【００６８】
実施例３、実施形態２
ＰＵＳＣＨフォーマットを使用して、第１のスクランブリングシーケンスを用いて、スクランブリングを開始する。具体的には、スクランブリング方法は、既存の機構と同じであり、さらに議論されず、第１のスクランブリング方法のための初期値は、
【化６】
2019506023.tif 000022
であり、ｑの値は、１であり、具体的には、スクランブリング方法は、既存の技法と同じであり、さらに議論されない。
【００６９】
（実施例４）
実施例４、実施形態１
ＨＡＲＱ−ＡＣＫおよびアップリンクデータが同時に伝送される場合、ＨＡＲＱ−ＡＣＫに対応する変調シーケンスは、｛ｄ０，ｄ１，ｄ２，ｄ３，．．．，ｄＷ｝であり、単一搬送波の数は、データ伝送の間、４であり、時間ドメイン長は、３ｍｓであると仮定すると、チャネルインタリーブによって生成される行列内の列の数は、３６であり、行の数は、４である。
【００７０】
ＰＵＳＣＨ内のチャネルインタリーブは、列、次いで、行の順序におけるエンコードされたＨＡＲＱ−ＡＣＫシーケンスをチャネルインタリーブ行列内の所定の位置にマッピングし、Ｙ＝０と仮定すると、所定の位置は、ＰＵＳＣＨフォーマットにおけるチャネルインタリーブ行列の列｛Ｋ（ｊ’）＋１２＊ｉ｝内にあり、ｉの値は、０，１，および２であり、ｋの値（ｊ’）は、２，３，８，９であり、ｊ’の値は、１，２，３，４であり、エンコードされたＨＡＲＱ−ＡＣＫシーケンスは、行、次いで、列の順序に従い、行列内の｛２，３，８，９，１４，１５，２０，２１，２６，２７，３２，３３｝に連続してマッピングされる。具体的には、本マッピングは、図６に示される（図６は、本実施形態におけるＨＡＲＱ−ＡＣＫシーケンスマッピングに基づく概略図（１）である）。
【００７１】
実施例４、実施形態２
ＨＡＲＱ−ＡＣＫおよびアップリンクデータが同時に伝送される場合、ＨＡＲＱ−ＡＣＫに対応する変調シーケンスは、｛ｄ０，ｄ１，ｄ２，ｄ３，．．．，ｄＷ｝であり、単一搬送波の数は、データ伝送の間、４であり、時間ドメイン長は、３ｍｓであると仮定すると、チャネルインタリーブによって生成される行列内の列の数は、３６であり、行の数は、４である。
【００７２】
ＰＵＳＣＨ内のチャネルインタリーブは、行、次いで、列の順序においてエンコードされたＨＡＲＱ−ＡＣＫシーケンスをチャネルインタリーブ行列内の所定の位置にマッピングし、Ｚ＝０と仮定すると、所定の位置は、ＰＵＳＣＨフォーマット内のチャネルインタリーブ行列の列｛Ｋ（ｊ’）＋１２＊ｉ｝内にあり、ｉの値は、０および１であり、ｋの値（ｊ’）は、２，３，８，９であり、ｊ’の値は、１，２，３，４であり、エンコードされたＨＡＲＱ−ＡＣＫシーケンスは、列、次いで、行の順序に従って、行列内の｛２，３，８，９，１４，１５，２０，２１，２６，２７，３２，３３｝に連続してマッピングされる。具体的には、本マッピングは、図７に示される（図７は、本実施形態におけるＨＡＲＱ−ＡＣＫシーケンスマッピングに基づく概略図（２）である）。
【００７３】
実施例４、実施形態３
ＨＡＲＱ−ＡＣＫおよびアップリンクデータが同時に伝送される場合、ＨＡＲＱ−ＡＣＫに対応する変調シーケンスは、｛ｄ０，ｄ１，ｄ２，ｄ３，．．．，ｄＷ｝であり、単一搬送波の数は、データ伝送の間、３であり、時間ドメイン長は、４ｍｓであると仮定すると、チャネルインタリーブによって生成される行列内の列の数は、４８であり、行の数は、３である。
【００７４】
ＰＵＳＣＨ内のチャネルインタリーブは、行、次いで、列の順序においてエンコードされたＨＡＲＱ−ＡＣＫシーケンスをチャネルインタリーブ行列内の所定の位置にマッピングし、Ｚ＝０と仮定すると、所定の位置は、ＰＵＳＣＨフォーマット内のチャネルインタリーブ行列の列｛Ｋ（ｊ’）＋１２＊ｉ｝内にあり、ｉの値は、０，２，１，３であり、ｋの値（ｊ’）は、２，３，８，９であり、ｊ’の値は、１，２，３，４であり、エンコードされたＨＡＲＱ−ＡＣＫシーケンスは、列、次いで、行の順序に従って、行列内の｛２，３，８，９、２６，２７，３２，３３，１４，１５，２０，２１，３８，３９，４４，４５｝に連続してマッピングされる。具体的には、本マッピングは、図８に示される（図８は、本実施形態におけるＨＡＲＱ−ＡＣＫシーケンスマッピングに基づく概略図（３）である）。
【００７５】
実施例４、実施形態４
ＨＡＲＱ−ＡＣＫおよびアップリンクデータが同時に伝送される場合、ＨＡＲＱ−ＡＣＫに対応する変調シーケンスは、｛ｄ０，ｄ１，ｄ２，ｄ３，．．．，ｄＷ｝であり、単一搬送波の数は、データ伝送の間、３であり、時間ドメイン長は、４ｍｓであると仮定すると、チャネルインタリーブによって生成される行列内の列の数は、４８であり、行の数は、３である。
【００７６】
ＰＵＳＣＨ内のチャネルインタリーブは、行、次いで、列の順序においてエンコードされたＨＡＲＱ−ＡＣＫシーケンスをチャネルインタリーブ行列内の所定の位置にマッピングし、Ｚ＝０と仮定すると、所定の位置は、ＰＵＳＣＨフォーマット内のチャネルインタリーブ行列の列｛Ｋ（ｊ’）＋１２＊ｉ｝内にあり、ｉの値は、０であり、ｋの値（ｊ’）は、１，２，３，４，５，６，７，８，９，１０，１１，１２であり、ｊ’の値は、１，２，３，４，５，６，７，８，９，１０，１１，１２であり、エンコードされたＨＡＲＱ−ＡＣＫシーケンスは、列、次いで、行の順序に従って、行列内の｛１，２，３，４，５，６，７，８，９，１０，１１，１２｝に連続してマッピングされる。
【００７７】
実施例４、実施形態５
ＨＡＲＱ−ＡＣＫおよびアップリンクデータが同時に伝送される場合、ＨＡＲＱ−ＡＣＫに対応する変調シーケンスは、｛ｄ０，ｄ１，ｄ２，ｄ３，．．．，ｄＷ｝であり、単一搬送波の数は、データ伝送の間、３であり、時間ドメイン長は、４ｍｓであると仮定すると、チャネルインタリーブによって生成される行列内の列の数は、４８であり、行の数は、３である。
【００７８】
ＰＵＳＣＨ内のチャネルインタリーブは、行、次いで、列の順序においてエンコードされたＨＡＲＱ−ＡＣＫシーケンスをチャネルインタリーブ行列内の所定の位置にマッピングし、Ｚ＝０と仮定すると、所定の位置は、ＰＵＳＣＨフォーマット内のチャネルインタリーブ行列の列｛Ｋ（ｊ’）＋１２＊ｉ｝内にあり、ｉの値は、０であり、ｋの値（ｊ’）は、１，２，３，４，５，６であり、ｊ’の値は、１，２，３，４，５，６であり、エンコードされたＨＡＲＱ−ＡＣＫシーケンスは、列、次いで、行の順序に従って、行列内の｛１，２，３，４，５，６｝に連続してマッピングされる。
【００７９】
（実施例５）
実施例５、実施形態１
端末が、ダウンリンクサブフレーム｛ｎ，．．．，ｎ＋３｝内でダウンリンクデータ情報を受信し、アップリンクサブフレーム｛ｋ，．．．，ｋ＋１｝内でダウンリンク情報に対応するＨＡＲＱ−ＡＣＫ応答情報を伝送すると仮定する。
【００８０】
ｋ＝ｎ＋４＊ＸおよびＸ＝２であるため、対応するＨＡＲＱ−ＡＣＫ応答情報は、図９に示されように（図９は、本実施形態におけるＨＡＲＱ−ＡＣＫ応答情報の伝送に基づく概略図（１）である）、サブフレーム｛ｎ＋８，ｎ＋９｝内で伝送される。
【００８１】
実施例５、実施形態２
端末が、ダウンリンクサブフレーム｛ｎ，．．．，ｎ＋１｝内でダウンリンクデータ情報を受信し、アップリンクサブフレーム｛ｋ，．．．，ｋ＋１｝内でダウンリンク情報に対応するＨＡＲＱ−ＡＣＫ応答情報を伝送すると仮定する。
【００８２】
ｋ＝ｎ＋Ｍ＋４およびＭ＝１であるため、対応するＨＡＲＱ−ＡＣＫ応答情報は、図１０に示されるように（図１０は、本実施形態におけるＨＡＲＱ−ＡＣＫ応答情報の伝送に基づく概略図（２）である）、サブフレーム｛ｎ＋５，ｎ＋６｝内で伝送される。
【００８３】
実施例５、実施形態３
端末が、ダウンリンクサブフレーム｛０，１｝内でダウンリンクデータ情報を受信し、アップリンクサブフレーム｛ｋ，．．．，ｋ＋１｝内でダウンリンク情報に対応するＨＡＲＱ−ＡＣＫ応答情報を伝送すると仮定する。
【００８４】
ｋは、ＤＬ  ＤＣＩのインジケーション制御ドメインを通して信号構成を受け、端末は、インジケーション制御ドメインを通してｋ＝５を得ているため、対応するＨＡＲＱ−ＡＣＫ応答情報は、図１１に示されるように（図１１は、本実施形態におけるＨＡＲＱ−ＡＣＫ応答情報の伝送に基づく概略図（３）である）、サブフレーム｛５，６｝内で伝送され、最初のインジケーション制御フィールドのサイズは、Ｈビットであり、Ｈは、０を上回る整数である。
【００８５】
実施例５、実施形態４
端末が、ダウンリンクサブフレーム｛０，１｝内でダウンリンクデータ情報を受信し、アップリンクサブフレーム｛ｋ，．．．，ｋ＋１｝内でダウンリンク情報に対応するＨＡＲＱ−ＡＣＫ応答情報を伝送すると仮定する。
【００８６】
ｋは、ＤＬ  ＤＣＩのインジケーション制御ドメインを通して信号構成を受け、サブフレームｋの事前に設定されたサブフレームインデックスは、Ｘの整数倍数であり、端末は、インジケーション制御ドメインを通してｋ＝５を得ているため、かつサブフレーム５に対応する事前に設定されたサブフレームインデックスは、２の整数倍数ではないため（事前に設定されたサブフレームインデックスは、サブフレームｇから開始する、サブフレームシーケンス番号を通して得られ、本実施形態では、事前に設定されたサブフレームｇは、サブフレーム０であるため、事前に設定されたサブフレームインデックスは、０から付番され、Ｘの整数倍数であるサブフレームは、インデックス０，２，４，６，８を伴うサブフレームである）、対応するＨＡＲＱ−ＡＣＫ応答情報は、図１２に示されるように（図１２は、本実施形態におけるＨＡＲＱ−ＡＣＫ応答情報の伝送に基づく概略図（４）である）、サブフレーム｛６，７｝内で伝送され、最初のインジケーション制御フィールドのサイズは、Ｈビットであり、Ｈは、０を上回る整数である。また、基地局は、ｋを構成するとき、サブフレームｋの事前に設定されたサブフレームインデックスがＸの整数倍数であり、ｋを６と等しく構成するという事実を考慮することができることが可能性として考えられる。
【００８７】
実施例５、実施形態５
スケジューリングウィンドウ長さは、３０ｍｓであり、端末が、無線フレーム２内のダウンリンクサブフレーム｛５，６｝内のスケジューリングウィンドウ０においてダウンリンク情報を受信し、アップリンクサブフレーム｛ｋ，．．．，ｋ＋１｝内でダウンリンク情報に対応するＨＡＲＱ−ＡＣＫ応答情報を伝送すると仮定する。
【００８８】
ｋの値が、ダウンリンク情報のスケジューリングウィンドウによって判定され、ダウンリンク情報が、スケジューリングウィンドウｔにあるため、アップリンクサブフレームｋは、スケジューリングウィンドウｔ＋２内に位置し、スケジューリングウィンドウ内の位置は、スケジューリングウィンドウの初期位置である。したがって、端末は、図１３に示されるように（図１３は、本実施形態におけるＨＡＲＱ−ＡＣＫ応答情報の伝送に基づく概略図（５）である）、スケジューリングウィンドウ２の開始に対応する無線フレーム６サブフレーム｛０，１｝においてＨＡＲＱ−ＡＣＫ応答情報を伝送し、または端末は、スケジューリングウィンドウ１の開始に対応する無線フレーム６サブフレーム｛０，１｝においてＨＡＲＱ−ＡＣＫ応答情報を伝送する。
【００８９】
実施例５、実施形態６
スケジューリングウィンドウ長さは、３０ｍｓであり、端末が、無線フレーム２内のダウンリンクサブフレーム｛５，６｝内のスケジューリングウィンドウ０においてダウンリンク情報を受信し、アップリンクサブフレーム｛ｋ，．．．，ｋ＋１｝内でダウンリンク情報に対応するＨＡＲＱ−ＡＣＫ応答情報を伝送すると仮定する。
【００９０】
ｋの値が、ダウンリンク情報のスケジューリングウィンドウによって判定され、ダウンリンク情報が、スケジューリングウィンドウｔにあるため、アップリンクサブフレームｋは、スケジューリングウィンドウｔ＋１内に位置し、スケジューリングウィンドウ内の位置は、スケジューリングウィンドウの初期位置および第１のオフセットによって判定され、第１のオフセットは、スケジューリングウィンドウ内のダウンリンク情報の位置によって判定される。したがって、端末は、図１４に示されるように（図１４は、本実施形態におけるＨＡＲＱ−ＡＣＫ応答情報の伝送に基づく概略図（６）である）、スケジューリングウィンドウ１の開始に対応する無線フレーム５サブフレーム｛５，６｝においてＨＡＲＱ−ＡＣＫ応答情報を伝送する。
【００９１】
実施例５、実施形態７
スケジューリングウィンドウ長さは、３０ｍｓであり、端末が、無線フレーム２内のダウンリンクサブフレーム｛５，６｝内のスケジューリングウィンドウ０においてダウンリンク情報を受信し、アップリンクサブフレーム｛ｋ，．．．，ｋ＋１｝内でダウンリンク情報に対応するＨＡＲＱ−ＡＣＫ応答情報を伝送すると仮定する。
【００９２】
ｋの値が、ダウンリンク情報のスケジューリングウィンドウによって判定され、ダウンリンク情報が、スケジューリングウィンドウｔにあるため、アップリンクサブフレームｋは、スケジューリングウィンドウｔ＋１内に位置し、スケジューリングウィンドウ内の位置は、スケジューリングウィンドウの初期位置および第１のオフセットによって判定され、サブフレームｋの事前に設定されたサブフレームインデックスは、Ｘの整数倍数であるため、第１のオフセットは、スケジューリングウィンドウ内のダウンリンク情報の位置によって判定され、したがって、端末は、スケジューリングウィンドウ１の開始に対応する無線フレーム５サブフレーム｛５，６｝においてＨＡＲＱ−ＡＣＫ応答情報を伝送し、サブフレーム５に対応する事前に設定されたサブフレームインデックスは、２の整数倍数ではないため（事前に設定されたサブフレームインデックスは、サブフレームｇから開始する、サブフレームシーケンス番号を通して得られ、本実施形態では、事前に設定されたサブフレームｇは、スケジューリングウィンドウ１のための初期サブフレーム（すなわち、無線サブフレーム３、サブフレーム０）であるため、事前に設定されたサブフレームインデックスは、無線フレーム３、サブフレーム０から付番され、したがって、Ｘの整数倍数であるサブフレームは、０，２，４，６，８のサブフレームインデックスを伴うサブフレーム３、４、５である）、端末は、スケジューリングウィンドウ１に対応する無線サブフレーム５内のサブフレーム｛６，７｝においてＨＡＲＱ−ＡＣＫ応答情報を伝送し、代替として、基地局が、ＰＤＳＣＨをスケジューリングしているとき、ＨＡＲＱ−ＡＣＫ応答情報の伝送は、初期サブフレームｋの事前に設定されたサブフレームインデックスがＸの整数倍数でなければならないという要件を満たさなければならないという事実を考慮することができる。基地局は、次いで、スケジューリングウィンドウ０における無線サブフレーム２内のダウンリンクサブフレーム｛６，７｝内でダウンリンクデータ情報を伝送することができ、端末は、スケジューリングウィンドウ１における無線サブフレーム５内の｛５，６｝においてＨＡＲＱ−ＡＣＫ応答情報を伝送することができる。
【００９３】
実施例５、実施形態８
スケジューリングウィンドウ長さは、３０ｍｓであり、端末が、無線フレーム２内のダウンリンクサブフレーム｛５，６｝内のスケジューリングウィンドウ０においてダウンリンク情報を受信し、アップリンクサブフレーム｛ｋ，．．．，ｋ＋１｝内でダウンリンク情報に対応するＨＡＲＱ−ＡＣＫ応答情報を伝送すると仮定する。
【００９４】
ｋの値が、ダウンリンク情報のスケジューリングウィンドウによって判定され、ダウンリンク情報が、スケジューリングウィンドウｔにあるため、アップリンクサブフレームｋは、スケジューリングウィンドウｔ＋１内に位置し、スケジューリングウィンドウ内の位置は、スケジューリングウィンドウの初期位置および第１のオフセットによって判定され、第１のオフセットは、スケジューリングウィンドウ内のダウンリンク情報の位置および第２のオフセットシグナリングを用いた第２のオフセットによって判定され、シグナリングは、ダウンリンクデータに対応するＤＣＩ内の第２のインジケーション制御フィールドである。第２のインジケーション制御フィールドの値は、０１であるため、第２のオフセットは、第２の所定のインジケーション制御フィールドと第２のオフセットとの間の関係に基づいて得られる。表３は、第２のインジケーション制御フィールドと第２のオフセットとの間の関係を示し、第２のオフセットは、２つのサブフレームを後方方向に偏移し、端末は、図１５に示されるように（図１５は、本実施形態におけるＨＡＲＱ−ＡＣＫ応答情報の伝送に基づく概略図（７）である）、スケジューリングウィンドウ１における無線フレーム５内のサブフレーム｛７、８｝においてＨＡＲＱ−ＡＣＫ応答情報を伝送する。
【表３】
2019506023.tif 000023
【００９５】
Ｎは、１サブフレームと等しく、またはＸサブフレームと等しい。表１は、例証にすぎず、第２のインジケーション制御フィールドによって示される第２のオフセットを説明する、全てのそのような例証は、本実施形態、すなわち、第２のインジケーション制御フィールドと第２のオフセットとの間の関係を説明する、表４の保護下にある。
【表４】
2019506023.tif 000024
【００９６】
実施例５、実施形態９
スケジューリングウィンドウ長さは、３０ｍｓであり、端末が、無線フレーム２内のダウンリンクサブフレーム｛５，６｝内のスケジューリングウィンドウ０においてダウンリンク情報を受信し、アップリンクサブフレーム｛ｋ，．．．，ｋ＋１｝内でダウンリンク情報に対応するＨＡＲＱ−ＡＣＫ応答情報を伝送すると仮定する。
【００９７】
ｋの値が、ダウンリンク情報のスケジューリングウィンドウ、およびスケジューリングウィンドウ内のサブフレームｎ＋Ｍの位置によって判定されるため、サブフレームｎ＋Ｍがスケジューリングウィンドウｔ内のサブフレームＬの前に位置する場合、アップリンクサブフレームｋは、スケジューリングウィンドウｔ＋１に位置し、そうでなければ、アップリンクサブフレームｋは、スケジューリングウィンドウｔ＋２に位置し、スケジューリングウィンドウ内のその位置が、スケジューリングウィンドウの初期位置であり、Ｌ＝３であると仮定されると、ダウンリンクサブフレーム６は、無線フレーム２内のスケジューリングウィンドウ０におけるサブフレーム３前に位置するため、無線フレーム３内の対応するサブフレーム０は、図１６に示されるように（図１６は、本実施形態におけるＨＡＲＱ−ＡＣＫ応答情報の伝送に基づく概略図（８）である）、スケジューリングウィンドウ１の開始においてＨＡＲＱ−ＡＣＫの伝送を開始する。
【００９８】
（実施例６）
端末は、サブフレーム｛ｎ＋ｅ，．．．，ｎ＋ｆ｝においてＨＡＲＱ−ＡＣＫを伝送しなければならず、サブフレーム｛ｎ＋ｇ，．．．，ｎ＋ｖ｝においてアップリンクデータを伝送しなければならず、ｅ、ｆ、ｇ、ｖは、０を上回るまたはそれと等しい整数であると仮定する。
【００９９】
実施例６、実施形態１
サブフレームｎ＋ｇが、サブフレームｎ＋ｅとサブフレームｎ＋ｆとの間に位置する場合、端末は、アップリンクデータを伝送しない。
【０１００】
実施例６、実施形態２
サブフレームｎ＋ｅは、サブフレームｎ＋ｇとｎ＋ｖとの間に位置するため、端末は、サブフレームｎ＋ｅからＨＡＲＱ−ＡＣＫ伝送を開始するであろう。
【０１０１】
実施例６、実施形態３
サブフレームｎ＋ｅは、サブフレームｎ＋ｇとｎ＋ｖとの間に位置するため、端末は、サブフレームｎ＋ｅから伝送のためデータ上へのＨＡＲＱ−ＡＣＫのマッピングを開始するであろう。
【０１０２】
実施例６、実施形態４
サブフレームｎ＋ｅは、サブフレームｎ＋ｇとｎ＋ｖとの間に位置するため、端末は、サブフレームｎ＋ｅからＨＡＲＱ−ＡＣＫおよびアップリンクデータの伝送を開始するであろう、または端末は、サブフレームｎ＋ｇからＨＡＲＱ−ＡＣＫおよびアップリンクデータの伝送を開始するであろう。
【０１０３】
実施例６、実施形態５
サブフレームｎ＋ｇは、サブフレームｎ＋ｅとｎ＋ｆとの間に位置するため、端末は、サブフレームｎ＋ｅからＨＡＲＱ−ＡＣＫおよびアップリンクデータの伝送を開始し、または端末は、サブフレームｎ＋ｇからＨＡＲＱ−ＡＣＫおよびアップリンクデータの伝送を開始するであろう。
【０１０４】
本実施形態の本説明を用いることで、本実施形態の方法がソフトウェアおよび要求されるハードウェアプラットフォームを用いて実装され得ることが、任意の当業者に明白となるであろう。当然ながら、ハードウェアもまた、使用されることができるが、多くの場合、ハードウェアプラットフォームの使用が、より良好な方法である。これに照らして、本実施形態の寄与は、本質的に、または先行技術に加えてのいずれかにおいて、ソフトウェア製品の形態をとり、これは、本実施形態の方法を実装するために、端末機器（例えば、携帯電話、コンピュータ、サーバ、またはネットワーク機器等）の作製方法に関するいくつかの命令を含め、記憶媒体（例えば、ＲＯＭ／ＲＡＭ、磁気ディスク、または光ディスク）内に記憶されることができる。
【０１０５】
本開示の実施形態はまた、最適方法を用いて実施形態を実装するために使用される、アップリンク制御情報の伝送のための装置も説明し、すでに説明されたものは、さらに議論されないであろう。本明細書で使用されるように、用語「モジュール」は、機能のセットを伴う、ソフトウェアおよび／またはハードウェアの組み合わせを指し得る。本明細書に説明される装置は、ソフトウェアを用いてより良好に実装されるが、実装のためのハードウェアの使用または実装のためのハードウェアおよびソフトウェアの組み合わせの使用もまた、考えられる。
【０１０６】
図１７は、本実施形態におけるアップリンク制御情報伝送装置のフォーマットに基づくブロック図である。図１７が示すように、本装置は、以下に説明されるように、受信機モジュール１７２と、送信機モジュール１７４とを備える。
【０１０７】
受信機モジュール１７２は、ダウンリンク情報を受信するように設定され、送信機モジュール１７４は、受信機モジュール１７２に接続され、ＰＵＳＣＨフォーマットを使用して、ダウンリンク情報に対応するＨＡＲＱ−ＡＣＫを伝送するように設定される。
【０１０８】
ＰＵＳＣＨフォーマットは、多くのフォーマットを備えることができる。様々なＰＵＳＣＨフォーマット間の区別の説明は、以下に提供される。
【０１０９】
代替実施形態では、ＨＡＲＱ−ＡＣＫのみが伝送されるとき、ＰＵＳＣＨフォーマット内のエンコーディングモードは、反復コードである。
【０１１０】
別の代替実施形態では、ＨＡＲＱ−ＡＣＫのみが伝送されるとき、ＰＵＳＣＨフォーマット内の変調モードは、事前に設定された二位相偏移キーイング（ＢＰＳＫ）変調または四位相偏移キーイング（ＱＰＳＫ）変調である。
【０１１１】
代替として、事前に設定されたＢＰＳＫは、｛１，−１｝の配置点を伴う第１の位置要素変調と、｛ｊ，−ｊ｝の配置点を伴う第２の位置要素変調とを備え、第１の位置要素は、偶数付番位置を伴う要素を変調シーケンス内に備え、第２の位置要素は、奇数付番位置を伴う要素を変調シーケンス内に備え、または第１の位置要素は、奇数付番位置を伴う要素を変調シーケンス内に備え、第２の位置要素は、偶数付番位置を伴う要素を変調シーケンス内に備える。
【０１１２】
代替として、ＨＡＲＱ−ＡＣＫのみが伝送されるとき、ＰＵＳＣＨフォーマットは、Ｘミリ秒（ｍｓ）の時間ドメインと、単一副搬送波の周波数ドメインとを有する。
【０１１３】
代替として、Ｘの値は、事前に判定され、その所定の値は、２ｍｓ、３ｍｓ、もしくは４ｍｓであり、または１ｍｓより大きく、かつ１２の倍数もしくは約数であり、または物理ダウンリンク共有チャネル（ＰＤＳＣＨ）の最短時間ドメイン長に対応し、またはデータのみを伝送しているＰＵＳＣＨの最短時間ドメイン長であり、または単一搬送波ＰＵＳＣＨ伝送のための最短時間ドメイン長に対応し、またはシグナリングインジケータの値であり、そのようなシグナリングインジケータは、以下：システム情報ブロック（ＳＩＢ）シグナリング、無線リソース制御（ＲＲＣ）シグナリング、ＰＵＳＣＨに対応するＤＣＩ、ＰＤＳＣＨに対応するＤＣＩのうちの少なくとも１つを含む。
【０１１４】
代替として、単一副搬送波の周波数ドメイン位置は、事前に判定され、またはシグナリングインジケータによって示され、そのようなシグナリングインジケータは、以下：ＳＩＢシグナリング、ＲＲＣシグナリング、ＰＵＳＣＨに対応するＤＣＩ、ＰＤＳＣＨに対応するＤＣＩのうちの少なくとも１つを含む。
【０１１５】
代替として、ＨＡＲＱ−ＡＣＫおよびスケジューリング要求（ＳＲ）が同時に伝送されるとき、ＰＵＳＣＨは、最初に、ＨＡＲＱ−ＡＣＫおよびＳＲをエンコーディングする前に、それらを連結するであろう。
【０１１６】
代替として、ＨＡＲＱ−ＡＣＫおよびＳＲが同時に伝送されるとき、ＰＵＳＣＨは、第１のスクランブリングシーケンスを採用し、ＨＡＲＱ−ＡＣＫのみが伝送されるとき、ＰＵＳＣＨは、第２のスクランブリングシーケンスを採用するであろう。
【０１１７】
代替として、ＨＡＲＱ−ＡＣＫおよびアップリンクデータが同時に伝送されるとき、ＰＵＳＣＨチャネルは、以下のようにインタリーブされる。すなわち、エンコードされたＨＡＲＱ−ＡＣＫシーケンスは、列、次いで、行の順序に従って、チャネルインタリーブ行列上の所定の位置にマッピングされ、またはエンコードされたＨＡＲＱ−ＡＣＫシーケンスは、行、次いで、列の順序に従って、インタリーブ行列上の所定の位置にマッピングされる。
【０１１８】
代替として、列、次いで、行の順序におけるインタリーブ行列上の所定の位置へのエンコードされたＨＡＲＱ−ＡＣＫシーケンスのマッピングは、Ｙ列から開始し、列、次いで、行の順序を使用して、ＨＡＲＱ−ＡＣＫシーケンスをインタリーブ行列上の所定の位置にマッピングすることを含み、Ｙは、０を上回るまたはそれと等しい整数である。
【０１１９】
代替として、行、次いで、列の順序におけるインタリーブ行列上の所定の位置へのエンコードされたＨＡＲＱ−ＡＣＫシーケンスのマッピングは、Ｚ列から開始し、行、次いで、列の順序を使用して、エンコードされたＨＡＲＱ−ＡＣＫシーケンスをインタリーブ行列上の所定の位置にマッピングすることを含み、Ｚは、０を上回るまたはそれと等しい整数である。
【０１２０】
代替として、所定の位置は、ＰＵＳＣＨフォーマット内のインタリーブ行列の中の列｛Ｋ（ｊ’）＋１２＊ｉ｝であり、列は、正の整数であり、ｉおよびｊ’は、０を上回るまたはそれと等しい整数である。
【０１２１】
代替として、ｉの値は、０，１，．．．，Ｎ−１と等しく、またはｉは、０，セル（Ｎ／２），１，セル（Ｎ／２）＋１，２，セル（Ｎ／２）＋２，．．．，セル（Ｎ／２）−１，Ｎ−１と等しく、またはｉは、任意の値の０，１，．．．，Ｎ−１と等しく、Ｎは、１２によって除算され、次いで、次の整数に繰り上げられる、ＰＵＳＣＨフォーマットに対応する直交周波数分割多重（ＯＦＤＭ）シンボルの数と等しく、Ｋ（ｊ’）の値は、２，３，８，９と等しく、ｊ’の値は、１，２，３，４であり、または１，３，２，４であり、またはＫ（ｊ’）の値は、１，２，３，４，５，６と等しく、ｊ’の値は、１，２，３，４，５，６であり、またはＫ（ｊ’）の値は、１，２，３，４，５，６，７，８，９，１０，１１，１２と等しく、値ｊ’は、１，２，３，４，５，６，７，８，９，１０，１１，１２である。
【０１２２】
いくつかのタイプのＰＵＳＣＨフォーマットは、いくつかの実施例のみを構成し、ＰＵＳＣＨフォーマットは、具体的状況に基づいて定義されることができ、本明細書に包括的に列挙されないことに留意されたい。
【０１２３】
代替として、受信機モジュール１７２は、ダウンリンクサブフレーム｛ｎ，．．．，ｎ＋Ｍ｝内でダウンリンク情報を受信するように構成される、受信機ユニットを備えることができ、送信機モジュール１７４は、アップリンクサブフレーム｛ｋ，．．．，ｋ＋Ｘ−１｝内でダウンリンク情報に対応するＨＡＲＱ−ＡＣＫを伝送するように構成される、送信機ユニットを備えることができ、ｎは、０を上回るまたはそれと等しい整数であり、Ｍは、０を上回るまたはそれと等しい整数である。
【０１２４】
代替として、ｋの値は、以下：ｋ＝ｎ＋４＊Ｘと、ｋ＝ｎ＋Ｍ＋４とのうちの１つを含み、ｋの値は、以下：ダウンリンク情報のスケジューリングウィンドウ、スケジューリングウィンドウ内のダウンリンク情報の位置、シグナリング構成のうちの少なくとも１つによって判定される。
【０１２５】
代替として、アップリンクサブフレームｋに対応する事前に設定されたサブフレームインデックスは、Ｘの整数倍数である。
【０１２６】
代替として、ｋの値が、ダウンリンク情報のスケジューリングウィンドウによって判定され、ダウンリンク情報が、スケジューリングウィンドウｔにあるとき、アップリンクサブフレームｋは、スケジューリングウィンドウｔ＋２に位置し、またはｋの値が、ダウンリンク情報のスケジューリングウィンドウによって判定され、ダウンリンク情報が、スケジューリングウィンドウｔにあるとき、アップリンクサブフレームｋは、スケジューリングウィンドウｔ＋１に位置し、またはｋの値が、ダウンリンク情報のスケジューリングウィンドウ、およびスケジューリングウィンドウ内のサブフレームｎ＋Ｍの位置によって判定されるとき、サブフレームｎ＋Ｍの位置がスケジューリングウィンドウｔ内のサブフレームＬの前に位置する場合、アップリンクサブフレームｋは、スケジューリングウィンドウｔ＋１に位置し、またはそうでなければ、スケジューリングウィンドウｔ＋２に位置し、ｔは、０を上回るまたはそれと等しい整数であり、Ｌは、事前に設定された正の整数である。
【０１２７】
代替として、スケジューリングウィンドウ内に位置する、アップリンクサブフレームｋは、ｋが、スケジューリングウィンドウの開始に対応するサブフレームであること、または、ｋが、スケジューリングウィンドウの開始に対応するサブフレーム＋第１のオフセットから成ることを備え、第１のオフセットは、以下：スケジューリングウィンドウ内のダウンリンク情報の位置、Ｘの値、または第２のオフセットのうちの少なくとも１つによって判定され、第２のオフセットは、シグナリングによって構成される。
【０１２８】
モジュールは、実装のためのソフトウェアまたはハードウェアのいずれかを使用することができることに留意されたい。後者に関して、限定ではないが、モジュールを同一プロセッサ内に、または別個のモジュールを複数のプロセッサの中に位置付ける方法を利用することができる。
【０１２９】
本開示の実施形態はまた、記憶媒体を説明する。代替として、本実施形態の記憶媒体は、以下のステップの実装のためのプログラムコードを記憶するように構成されることができる。
Ｓ１では、ダウンリンク情報を受信する。
Ｓ２では、所定のＰＵＳＣＨフォーマットを使用して、ダウンリンク情報に対応するＨＡＲＱ−ＡＣＫを伝送する。
【０１３０】
代替として、本実施形態の記憶媒体は、限定ではないが、Ｕディスク、読取専用メモリ（ＲＯＭ）、ランダムアクセスメモリ（ＲＡＭ）、可撤性ハードディスク、磁気ディスク、光ディスク、またはプログラムコードを記憶し得る任意の他のタイプのメモリを備えることができる。
【０１３１】
代替として、本実施形態のプロセッサは、記憶媒体内にすでに記憶されるプログラムコードを使用して、本実施形態に概略された方法を実施するための動作を行う。
【０１３２】
代替として、本実施形態の具体的実施例は、すでに説明された実施形態、またはそれらの説明内の実施例を指し得、さらに説明されないであろう。
【０１３３】
本実施形態の各モジュールまたは各ステップは、一般的コンピューティング装置を用いて実施されることができ、それらは、同一コンピューティング装置上に位置付けられることができ、または複数のコンピューティング装置のネットワークを経由して分散されることができ、代替として、本実施形態のモジュールおよびステップは、コンピューティング装置が実装する、プログラムコードを使用することができ、したがって、それらがコンピューティング装置によって実装され得る記憶媒体上に記憶されることができ、これは、ある場合には、本明細書に説明されるものと異なるシーケンスまたは異なるステップを使用し、またはそれらを異なる集積回路モジュールの中に作製し、またはそれらの中に存在する種々のモジュールおよびステップを単一集積回路モジュールに変えるであろうことが、当業者に最も明白となるであろう。このように、本発明は、ソフトウェアおよびハードウェアの任意の１つの組み合わせに限定されない。
【０１３４】
本明細書に説明されたものは、本発明の最適実施形態にすぎず、その請求項を限定することを意味するものではない。当業者のために、本発明は、任意の数の改変または変化を受け得る。本実施形態の精神および原理内にある、任意および全ての修正、均等物代用、改良等は、本発明の範囲内に含まれるべきである。
【産業上の利用可能性】
【０１３５】
以下に述べられるように、アップリンク制御情報の伝送のための方法および装置を提供する、本実施形態の実装は、ＨＡＲＱ−ＡＣＫをＰＵＳＣＨ上で伝送するその能力を通してＨＡＲＱ−ＡＣＫをＰＵＳＣＨ上で伝送することが不可能であるという関連技術における問題を解決する利点を有する。
【図１】
2019506023.tif 000025
【図２】
2019506023.tif 000026
【図３】
2019506023.tif 000027
【図４】
2019506023.tif 000028
【図５】
2019506023.tif 000029
【図６】
2019506023.tif 000030
【図７】
2019506023.tif 000031
【図８】
2019506023.tif 000032
【図９】
2019506023.tif 000033
【図１０】
2019506023.tif 000034
【図１１】
2019506023.tif 000035
【図１２】
2019506023.tif 000036
【図１３】
2019506023.tif 000037
【図１４】
2019506023.tif 000038
【図１５】
2019506023.tif 000039
【図１６】
2019506023.tif 000040
【図１７】
2019506023.tif 000041
【手続補正書】
【提出日】平成30年6月25日(2018.6.25)
【手続補正１】
【補正対象書類名】特許請求の範囲
【補正対象項目名】全文
【補正方法】変更
【補正の内容】
【特許請求の範囲】
【請求項１】
アップリンク制御情報を伝送するための方法であって、
ダウンリンク情報を受信することと、
前記ダウンリンク情報に基づいて、所定の物理アップリンク共有チャネル（ＰＵＳＣＨ）フォーマットを使用して、ハイブリッド自動反復要求−肯定応答（ＨＡＲＱ−ＡＣＫ）信号を伝送することと
を含み、
前記所定のＰＵＳＣＨフォーマットが前記ＨＡＲＱ−ＡＣＫ信号を伝送するためのみに使用されることに応答して、前記所定のＰＵＳＣＨフォーマットは、単一副搬送波において周波数ドメインに沿って占有する、方法。
【請求項２】
前記所定のＰＵＳＣＨフォーマットは、時間ドメインに沿って２ミリ秒（ｍｓ）にわたって延在する、請求項１に記載の方法。
【請求項３】
前記所定のＰＵＳＣＨフォーマットが前記ＨＡＲＱ−ＡＣＫ信号を伝送するためのみに使用されることに応答して、前記所定のＰＵＳＣＨフォーマットのエンコーディングモードは、反復コードである、請求項１に記載の方法。
【請求項４】
前記所定のＰＵＳＣＨフォーマットが前記ＨＡＲＱ−ＡＣＫ信号を伝送するためのみに使用されることに応答して、前記所定のＰＵＳＣＨフォーマットの変調モードは、事前に設定された二位相偏移キーイング（ＢＰＳＫ）変調に基づく、請求項１に記載の方法。
【請求項５】
前記周波数ドメインに沿った前記単一副搬送波の位置は、前記ダウンリンク情報に対応するダウンリンク制御インジケータ（ＤＣＩ）によって示される、請求項１に記載の方法。
【請求項６】
アップリンク制御情報を伝送するための方法であって、
ダウンリンク情報を受信することと、
前記ダウンリンク情報に基づいて、所定の物理アップリンク共有チャネル（ＰＵＳＣＨ）フォーマットを使用して、ハイブリッド自動反復要求−肯定応答（ＨＡＲＱ−ＡＣＫ）信号およびスケジューリング要求（ＳＲ）を同時に伝送することであって、前記所定のＰＵＳＣＨフォーマットは、第１のスクランブリングシーケンスに基づいて提供される、ことを行うか、または、前記所定のＰＵＳＣＨフォーマットを使用して、前記ＨＡＲＱ−ＡＣＫ信号のみを伝送することであって、前記所定のＰＵＳＣＨフォーマットは、前記第１のスクランブリングシーケンスと異なる第２のスクランブリングシーケンスによって提供される、ことを行うかを判定することと
を含む、方法。
【請求項７】
ワイヤレス通信デバイスであって、
ダウンリンク情報を受信するように構成された受信機と、
前記ダウンリンク情報に基づいて、所定の物理アップリンク共有チャネル（ＰＵＳＣＨ）フォーマットを使用して、ハイブリッド自動反復要求−肯定応答（ＨＡＲＱ−ＡＣＫ）信号を伝送するように構成されている、送信機と
を備え、
前記所定のＰＵＳＣＨフォーマットが前記ＨＡＲＱ−ＡＣＫ信号を伝送するためのみに使用されることに応答して、前記所定のＰＵＳＣＨフォーマットは、単一副搬送波において周波数ドメインに沿って占有する、ワイヤレス通信デバイス。
【請求項８】
前記所定のＰＵＳＣＨフォーマットは、時間ドメインに沿って２ミリ秒（ｍｓ）にわたって延在する、請求項７に記載のワイヤレス通信デバイス。
【請求項９】
前記所定のＰＵＳＣＨフォーマットが前記ＨＡＲＱ−ＡＣＫ信号を伝送するためのみに使用されることに応答して、前記所定のＰＵＳＣＨフォーマットのエンコーディングモードは、反復コードである、請求項７に記載のワイヤレス通信デバイス。
【請求項１０】
前記所定のＰＵＳＣＨフォーマットが前記ＨＡＲＱ−ＡＣＫ信号を伝送するためのみに使用されることに応答して、前記所定のＰＵＳＣＨフォーマットの変調モードは、事前に設定された二位相偏移キーイング（ＢＰＳＫ）変調に基づく、請求項７に記載のワイヤレス通信デバイス。
【請求項１１】
前記周波数ドメインに沿った前記単一副搬送波の位置は、前記ダウンリンク情報に対応するダウンリンク制御インジケータ（ＤＣＩ）によって示される、請求項７に記載のワイヤレス通信デバイス。
【請求項１２】
ワイヤレス通信デバイスであって、
ダウンリンク情報を受信するように構成された受信機と、
送信機であって、前記送信機は、前記ダウンリンク情報に基づいて、
所定の物理アップリンク共有チャネル（ＰＵＳＣＨ）フォーマットを使用して、ハイブリッド自動反復要求−肯定応答（ＨＡＲＱ−ＡＣＫ）信号およびスケジューリング要求（ＳＲ）を同時に伝送することであって、前記所定のＰＵＳＣＨフォーマットは、第１のスクランブリングシーケンスに基づいて提供される、こと、または
前記所定のＰＵＳＣＨフォーマットを使用して、前記ＨＡＲＱ−ＡＣＫ信号のみを伝送することであって、前記所定のＰＵＳＣＨフォーマットは、前記第１のスクランブリングシーケンスと異なる第２のスクランブリングシーケンスによって提供される、こと
を行うように構成されている、送信機と
を備える、ワイヤレス通信デバイス。
【請求項１３】
請求項１〜６のいずれか１項を実施するために、その上に記憶されたコンピュータ実行可能命令を有する、非一過性コンピュータ可読媒体。
【手続補正２】
【補正対象書類名】明細書
【補正対象項目名】００２６
【補正方法】変更
【補正の内容】
【００２６】
本実施形態の実装は、ダウンリンク情報を受信することと、所定のＰＵＳＣＨフォーマットを使用して、ダウンリンク情報に対応するＨＡＲＱ−ＡＣＫを伝送することとを含み、本発明は、それによって、ＨＡＲＱ−ＡＣＫをＰＵＳＣＨフォーマット上で伝送することが不可能であるという先行技術における問題を解決する。
本願明細書は、例えば、以下の項目も提供する。
（項目１）
アップリンク制御情報の伝送のための方法であって、
ダウンリンク情報を受信することと、
所定の物理アップリンク共有チャネル（ＰＵＳＣＨ）フォーマットを使用して、前記ダウンリンク情報に対応するハイブリッド自動反復要求−肯定応答（ＨＡＲＱ−ＡＣＫ）を伝送することと
を含む、方法。
（項目２）
ＨＡＲＱ−ＡＣＫのみが伝送されるとき、前記ＰＵＳＣＨフォーマット内のエンコーディングモードは、反復コードである、項目１に記載の方法。
（項目３）
前記ＨＡＲＱ−ＡＣＫのみが伝送されるとき、前記ＰＵＳＣＨフォーマット内の変調モードは、事前に設定された二位相偏移キーイング（ＢＰＳＫ）変調または四位相偏移キーイング（ＱＰＳＫ）変調である、項目１に記載の方法。
（項目４）
前記事前に設定されたＢＰＳＫは、｛１，−１｝の配置点を伴う第１の位置要素変調と、｛ｊ，−ｊ｝の配置点を伴う第２の位置要素変調とを備え、前記第１の位置要素は、偶数付番位置を伴う要素を変調シーケンス内に備え、前記第２の位置要素は、奇数付番位置を伴う要素を前記変調シーケンス内に備え、または前記第１の位置要素は、奇数付番位置を伴う要素を前記変調シーケンス内に備え、前記第２の位置要素は、偶数付番位置を伴う要素を前記変調シーケンス内に備える、項目３に記載の方法。
（項目５）
ＨＡＲＱ−ＡＣＫのみが伝送されるとき、前記ＰＵＳＣＨフォーマットは、Ｘミリ秒（ｍｓ）の時間ドメインと、単一副搬送波の周波数ドメインとを有する、項目１に記載の方法。
（項目６）
前記Ｘの値は、
所定の値であり、前記所定の値は、２ｍｓ、３ｍｓ、もしくは４ｍｓであり、または１ｍｓより大きく、かつ１２の倍数もしくは約数であり、または
前記物理ダウンリンク共有チャネル（ＰＤＳＣＨ）の最短時間ドメイン長に対応し、または
データのみを伝送している前記ＰＵＳＣＨの最短時間ドメイン長であり、または
単一搬送波ＰＵＳＣＨ伝送のための最短時間ドメイン長に対応し、または
シグナリングインジケータの値であり、そのようなシグナリングインジケータは、以下：システム情報ブロック（ＳＩＢ）シグナリング、無線リソース制御（ＲＲＣ）シグナリング、前記ＰＵＳＣＨに対応するＤＣＩ、前記ＰＤＳＣＨに対応するＤＣＩのうちの少なくとも１つを含む、項目５に記載の方法。
（項目７）
前記単一副搬送波の周波数ドメイン位置は、事前に判定され、またはシグナリングインジケータによって示され、そのようなシグナリングインジケータは、以下：ＳＩＢシグナリング、ＲＲＣシグナリング、前記ＰＵＳＣＨに対応するＤＣＩ、前記ＰＤＳＣＨに対応するＤＣＩのうちの少なくとも１つを含む、項目５に記載の方法。
（項目８）
ＨＡＲＱ−ＡＣＫおよびスケジューリング要求（ＳＲ）が同時に伝送されるとき、ＰＵＳＣＨは、最初に、ＨＡＲＱ−ＡＣＫおよびＳＲをエンコーディングする前に、それらを連結する、項目１に記載の方法。
（項目９）
ＨＡＲＱ−ＡＣＫおよびＳＲが同時に伝送されるとき、ＰＵＳＣＨは、第１のスクランブリングシーケンスを採用し、ＨＡＲＱ−ＡＣＫのみが伝送されるとき、ＰＵＳＣＨは、第２のスクランブリングシーケンスを採用する、項目１に記載の方法。
（項目１０）
ＨＡＲＱ−ＡＣＫおよびアップリンクデータが同時に伝送されるとき、前記ＰＵＳＣＨチャネルは、インタリーブされ、
エンコードされたＨＡＲＱ−ＡＣＫシーケンスは、列、次いで、行の順序に従って、チャネルインタリーブ行列上の所定の位置にマッピングされ、または前記エンコードされたＨＡＲＱ−ＡＣＫシーケンスは、行、次いで、列の順序に従って、前記インタリーブ行列上の所定の位置にマッピングされる、項目１に記載の方法。
（項目１１）
前記列、次いで、行の順序における前記インタリーブ行列上の所定の位置への前記エンコードされたＨＡＲＱ−ＡＣＫシーケンスのマッピングは、Ｙ列から開始し、前記列、次いで、行の順序を使用して、前記ＨＡＲＱ−ＡＣＫシーケンスを前記インタリーブ行列上の所定の位置にマッピングすることを含み、Ｙは、０を上回るまたはそれと等しい整数である、項目１０に記載の方法。
（項目１２）
前記行、次いで、列の順序における前記インタリーブ行列上の所定の位置への前記エンコードされたＨＡＲＱ−ＡＣＫシーケンスのマッピングは、Ｚ列から開始し、前記行、次いで、列の順序を使用して、前記エンコードされたＨＡＲＱ−ＡＣＫシーケンスを前記インタリーブ行列上の所定の位置にマッピングすることを含み、Ｚは、０を上回るまたはそれと等しい整数である、項目１０に記載の方法。
（項目１３）
前記所定の位置は、前記ＰＵＳＣＨフォーマット内の前記インタリーブ行列の中の列｛Ｋ（ｊ’）＋１２＊ｉ｝であり、前記列は、正の整数であり、ｉおよびｊ’は、０を上回るまたはそれと等しい整数である、項目１１または１２に記載の方法。
（項目１４）
前記ｉの値は、０，１，．．．，Ｎ−１と等しく、またはｉは、０，セル（Ｎ／２），１，セル（Ｎ／２）＋１，２，セル（Ｎ／２）＋２，．．．，セル（Ｎ／２）−１，Ｎ−１と等しく、またはｉは、任意の値の０，１，．．．，Ｎ−１と等しく、Ｎは、１２によって除算され、次いで、次の整数に繰り上げられる、前記ＰＵＳＣＨフォーマットに対応する直交周波数分割多重（ＯＦＤＭ）シンボルの数と等しく、
前記Ｋ（ｊ’）の値は、２，３，８，９と等しく、前記ｊ’の値は、１，２，３，４であり、または１，３，２，４であり、または前記Ｋ（ｊ’）の値は、１，２，３，４，５，６と等しく、前記ｊ’の値は、１，２，３，４，５，６であり、または前記Ｋ（ｊ’）の値は、１，２，３，４，５，６，７，８，９，１０，１１，１２と等しく、前記ｊ’の値は、１，２，３，４，５，６，７，８，９，１０，１１，１２である、項目１３に記載の方法。
（項目１５）
前記方法は、
ダウンリンクサブフレーム｛ｎ，．．．，ｎ＋Ｍ｝内でダウンリンク情報を受信することを含む、ダウンリンク情報を受信することと、
アップリンクサブフレーム｛ｋ，．．．，ｋ＋Ｘ−１｝内で前記ダウンリンク情報に対応するＨＡＲＱ−ＡＣＫを伝送することを含む、所定のＰＵＳＣＨフォーマットを使用して前記ダウンリンク情報に対応する前記ＨＡＲＱ−ＡＣＫを伝送することであって、ｎは、０に等しいまたはそれを上回る整数であり、Ｍは、０を上回るまたはそれと等しい整数である、ことと
を含む、項目５に記載の方法。
（項目１６）
前記ｋの値は、以下：
ｋ＝ｎ＋４＊Ｘと、
ｋ＝ｎ＋Ｍ＋４と
のうちの１つを含み、
前記ｋの値は、以下：前記ダウンリンク情報のスケジューリングウィンドウ、前記スケジューリングウィンドウ内のダウンリンク情報の位置、シグナリング構成のうちの少なくとも１つによって判定される、項目１５に記載の方法。
（項目１７）
前記アップリンクサブフレームｋに対応する事前に設定されたサブフレームインデックスは、Ｘの整数倍数である、項目１５または１６に記載の方法。
（項目１８）
前記ｋの値が、前記ダウンリンク情報のスケジューリングウィンドウによって判定され、前記ダウンリンク情報が、スケジューリングウィンドウｔにあるとき、前記アップリンクサブフレームｋは、スケジューリングウィンドウｔ＋２に位置し、または
前記ｋの値が、前記ダウンリンク情報のスケジューリングウィンドウによって判定され、前記ダウンリンク情報が、スケジューリングウィンドウｔにあるとき、前記アップリンクサブフレームｋは、スケジューリングウィンドウｔ＋１に位置し、または
前記ｋの値が、前記ダウンリンク情報のスケジューリングウィンドウ、および前記スケジューリングウィンドウ内のサブフレームｎ＋Ｍの位置によって判定されるとき、前記サブフレームｎ＋Ｍの位置がスケジューリングウィンドウｔ内のサブフレームＬの前に位置する場合、前記アップリンクサブフレームｋは、スケジューリングウィンドウｔ＋１に位置し、またはそうでなければ、スケジューリングウィンドウｔ＋２に位置し、
ｔは、０を上回るまたはそれと等しい整数であり、Ｌは、事前に設定された正の整数である、項目１６に記載の方法。
（項目１９）
前記スケジューリングウィンドウ内に位置する前記アップリンクサブフレームｋは、ｋが、前記スケジューリングウィンドウの開始に対応するサブフレームであること、または、ｋが、前記スケジューリングウィンドウの開始に対応するサブフレーム＋第１のオフセットから成ることを備え、前記第１のオフセットは、以下：前記スケジューリングウィンドウ内の前記ダウンリンク情報の位置、前記Ｘの値、または第２のオフセットのうちの少なくとも１つによって判定され、前記第２のオフセットは、シグナリングによって構成される、項目１８に記載の方法。
（項目２０）
アップリンク制御情報の伝送のための装置であって、
ダウンリンク情報を受信するように構成された受信機モジュールと、
所定のＰＵＳＣＨフォーマットを使用して、前記ダウンリンク情報に対応するＨＡＲＱ−ＡＣＫを伝送するように構成されている、送信機モジュールと
を備える、装置。
【国際調査報告】
2019506023.tif 000042
2019506023.tif 000043
2019506023.tif 000044
2019506023.tif 000045